(57)【要約】【課題】小型化を図ることの可能な両面表示型の電気光学装置を提供する。【解決手段】電気光学装置は、主に、第１の表示パネルと、第２の表示パネルと、照明装置より構成される。照明装置は、第１及び第２の表示パネルを、光を透過させることにより照明する。更に、上記の電気光学装置は、照明装置を収納するためのフレームと、第１又は第２の表示パネルのうち、少なくとも一方の駆動用ドライバＩＣに接続されると共に電子部品が配置されたフレキシブル基板と、を備える。電子部品は、フレキシブル基板のフレーム側の面上に配置され、フレームは、フレキシブル基板の電子部品が配置されてなる位置と対向する位置に形成された凹部を有している。このようにすることで、フレキシブル基板とフレームの間に電子部品を配置することができるので、一般的な両面表示型の液晶表示装置と比較して、小型化を図ることができる。【選択図】図３
2007298924.tif 000002
【特許請求の範囲】
【請求項１】
第１の表示パネルと、
前記第１の表示パネルに対向して配置されてなる第２の表示パネルと、
前記第１の表示パネルと前記第２の表示パネルの間に配置され、前記第１及び前記第２の表示パネルを、光を透過させることにより照明する照明装置と、
前記照明装置を収納するためのフレームと、
前記第１又は前記第２の表示パネルのうち、少なくとも一方の駆動用ドライバＩＣに電気的に接続されると共に電子部品が配置されたフレキシブル基板と、を備え、
前記電子部品は、前記フレキシブル基板の前記フレーム側の面上に配置され、
前記フレームは、前記フレキシブル基板の前記電子部品が配置されてなる位置と対向する位置に形成された凹部を有していることを特徴とする電気光学装置。
【請求項２】
前記電子部品は、前記照明装置を駆動するためのＩＣチップであり、前記照明装置と電気的に接続されていることを特徴とする請求項１に記載の電気光学装置。
【請求項３】
前記フレームは、前記凹部に沿って折り曲げ形成されている板金フレームを含むことを特徴とする請求項１又は２に記載の電気光学装置。
【請求項４】
請求項１乃至３のいずれか一項に記載の液晶表示装置を表示部に備えることを特徴とする電子機器。
【発明の詳細な説明】
【技術分野】
【０００１】
本発明は、いわゆる両面表示型の電気光学装置に関する。
【背景技術】
【０００２】
最近では、いわゆる両面表示型の携帯電話などが普及している。両面表示型の携帯電話には、両面表示型の電気光学装置が用いられる。例えば、折り畳み式の携帯電話では、一般的に、操作ボタンなどが設けられた本体部に対して蝶番式に折り畳み可能に表示部（構造上、ふた側に相当する）が取り付けられており、表示部の内側（操作ボタンと対向する側）に大型の表示パネルが設けられ、表示部の外側（背面側）に小型の表示パネルが設けられている。即ち、大型の表示パネルと小型の表示パネルが背中合わせに設けられている。
【０００３】
大型の表示パネル及び小型の表示パネルとしては、例えば、液晶表示パネルが用いられる。そして、これらの表示パネルに挟み込まれる形で、照明装置が設けられている。つまり、両面表示型の電気光学装置は、大型の表示パネルと、小型の表示パネルと、これらの表示パネルに挟み込まれた照明装置より構成される。両面表示型の電気光学装置は、このように携帯電話に用いられることが多いため、より小型化されることが求められている。
【０００４】
なお、下記の特許文献１には、ゲート線又はソース線のうち、どちらか一方を駆動するＩＣチップをフレキシブル基板上に配置することにより、額縁領域の形状を対称にして、電気光学装置の電子機器の筐体への組み込み性を向上させる技術が記載されている。
【０００５】
【特許文献１】特開２００２−２４４５７７号公報
【発明の開示】
【発明が解決しようとする課題】
【０００６】
本発明は上記の点に鑑みてなされたものであり、小型化を図ることの可能な両面表示型の電気光学装置を提供することを課題とする。
【課題を解決するための手段】
【０００７】
本発明の１つの観点では、電気光学装置は、第１の表示パネルと、前記第１の表示パネルに対向して配置されてなる第２の表示パネルと、前記第１の表示パネルと前記第２の表示パネルの間に配置され、前記第１及び前記第２の表示パネルを、光を透過させることにより照明する照明装置と、前記照明装置を収納するためのフレームと、前記第１又は前記第２の表示パネルのうち、少なくとも一方の駆動用ドライバＩＣに電気的に接続されると共に電子部品が配置されたフレキシブル基板と、を備え、前記電子部品は、前記フレキシブル基板の前記フレーム側の面上に配置され、前記フレームは、前記フレキシブル基板の前記電子部品が配置されてなる位置と対向する位置に形成された凹部を有している。
【０００８】
上記の電気光学装置は、例えば両面表示型の液晶表示装置であり、主に、第１の表示パネルと、第２の表示パネルと、照明装置より構成される。前記第１及び前記第２の表示パネルは、例えば、液晶表示パネルである。前記照明装置は、前記第１及び前記第２の表示パネルを、光を透過させることにより照明する。更に、上記の電気光学装置は、前記照明装置を収納するためのフレームと、前記第１又は前記第２の表示パネルのうち、少なくとも一方の駆動用ドライバＩＣに電気的に接続されると共に電子部品が配置されたフレキシブル基板と、を備える。前記電子部品は、前記フレキシブル基板の前記フレーム側の面上に配置され、前記フレームは、前記フレキシブル基板の前記電子部品が配置されてなる位置と対向する位置に形成された凹部を有している。このようにすることで、前記フレキシブル基板と前記フレームの間に電子部品を配置することができるので、一般的な両面表示型の液晶表示装置と比較して、小型化を図ることができる。
【０００９】
上記の電気光学装置の好適な実施例は、前記電子部品は、前記照明装置を駆動するためのＩＣチップであり、前記照明装置と電気的に接続されている。
【００１０】
上記の電気光学装置の他の一態様は、前記フレームは、前記凹部に沿って折り曲げ形成されている板金フレームを含む。これにより、外部から装置全体に応力が加わることにより発生する表示パネルの基板の破損を防ぐことができる。
【００１１】
本発明の他の観点では、上記の電気光学装置を表示部に備えることを特徴とする電子機器を構成することができる。
【発明を実施するための最良の形態】
【００１２】
以下、図面を参照して本発明の好適な実施形態について説明する。尚、以下の実施形態は、本発明を液晶表示装置に適用したものである。
【００１３】
[液晶表示装置]
図１は、本実施形態に係る液晶表示装置１００の概略構成を示す側面図である。なお、図１では説明の便宜上、各構成要素の間隔を開けて図示しているが、実際にはそれらは図中の上下方向に重ねられた状態で液晶表示装置１００を構成している。
【００１４】
液晶表示装置１００はいわゆる両面表示型の液晶表示装置であり、主に、照明装置９と、液晶表示パネル２０と、液晶表示パネル３０より構成される。照明装置９は、光源部１５と導光板１１により構成される。照明装置９の導光板１１の上下に液晶表示パネル２０及び３０が配置される。光源部１５は、点光源である複数のＬＥＤ１６を備える。
【００１５】
各ＬＥＤ１６から出射された光Ｌは、端面１１ｃより導光板１１内へ入り、導光板１１の上下面、即ち、互いに対向する出射面１１ａ、１１ｂで反射を繰り返すことにより方向を変え、出射面１１ａ、１１ｂから夫々、照明光Ｌａ及びＬｂとして外部へ出射する。導光板１１において、出射面１１ａは、液晶表示パネル２０に対向し、出射面１１ｂは、液晶表示パネル３０に対向している。従って、出射面１１ａから出射した光Ｌａは、液晶表示パネル２０へ向けて進み、出射面１１ｂから出射した光Ｌｂは、液晶表示パネル３０へ向けて進む。
【００１６】
液晶表示パネル２０は、両面表示型の携帯電話で言えば、メイン表示パネルに対応し、導光板１１の発光面積とほぼ同一の表示面積を有する。液晶表示パネル２０は、ガラスなどの基板１ａ及び２ａを、シール材３ａを介して貼り合わせてセル構造を形成し、その内部に液晶４ａを封入して構成される。
【００１７】
照明装置９と液晶表示パネル２０との間には、光学シートとして、例えば、拡散シート１２ａ、プリズムシート１３ａが設けられる。拡散シート１２ａは、導光板１１より出射された光Ｌａを全方位に拡散する役割を有する。プリズムシート１３ａは、光Ｌａを液晶表示パネル２０に集光する役割を有し、断面が略三角形のプリズム形状を一辺の方向（当該断面と垂直な辺の方向）に延在させた形状を有する。導光板１１から出射した光Ｌａは、これらの光学シートを通過した後、液晶表示パネル２０を透過することにより照明する。
【００１８】
一方、液晶表示パネル３０は液晶表示パネル２０よりも小型であり、液晶表示パネル２０よりも表示面積が小さいパネルである。液晶表示パネル３０は、両面表示型の携帯電話で言えば、サブ表示パネル（メイン表示パネルの背面に設けられた小型の表示パネル）に相当する。液晶表示パネル３０も、ガラスなどの基板１ｂ及び２ｂを、シール材３ｂを介して貼り合わせ、その内部に液晶４ｂを封入して構成される。なお、本発明では液晶表示パネル３０の構成は特定のものに限定されない。
【００１９】
液晶表示パネル３０と導光板１０との間にも、光学シートとして、例えば、拡散シート１２ｂ、プリズムシート１３ｂが設けられる。拡散シート１２ｂは、導光板１１より出射された光Ｌｂを全方位に拡散し、プリズムシート１３ｂは、拡散された光Ｌｂを集光して液晶表示パネル３０に導く。導光板１１から出射した光Ｌｂは、これらの光学シートを通過した後、液晶表示パネル３０を透過することにより照明する。
【００２０】
液晶表示パネル２０、３０には夫々、ＣＯＧ（Chip On Glass）技術により、液晶駆動用ＩＣ（ドライバ）たるドライバＩＣ４０ａ、４０ｂが直接実装されている。液晶表示パネル２０、３０の駆動回路は、ドライバＩＣ４０ａ、４０ｂによって夫々駆動される。ドライバＩＣ４０ａ、４０ｂは、ＦＰＣ（Flexible Printed Circuit）４１と電気的に接続されている。即ち、ＦＰＣ４１の一端は、ドライバＩＣ４０ａに電気的に接続され、他端は、ドライバＩＣ４０ｂに電気的に接続される。更に、ＦＰＣ４１には、コネクタ４２が設けられている。外部の電子機器はコネクタ４２に電気的に接続される。
【００２１】
（液晶表示パネルの構成）
本実施形態に係る液晶表示装置１００では、液晶表示パネル２０、３０は、同じ構造を有する液晶表示パネルとする。そこで、次に、液晶表示パネル２０、３０の構造、特に駆動回路の構造について、液晶表示パネル２０を例にとって述べることとする。
【００２２】
図２は、液晶表示パネル２０の概略構成を示す平面図であり、図３は、液晶表示パネル２０の断面図である。
【００２３】
図２では、紙面手前側（観察側）に液晶表示パネル２０のカラーフィルタ基板９２が、また、紙面奥側に液晶表示パネル２０の素子基板９１が夫々配置されている。なお、図２では、紙面縦方向（列方向）をＹ方向と、また、紙面横方向（行方向）をＸ方向と規定する。また、図２において、Ｒ（赤）、Ｇ（緑）、Ｂ（青）に対応する各領域は１つのサブ画素領域ＳＧを示していると共に、Ｒ、Ｇ、Ｂに対応する１行３列のサブ画素領域ＳＧは、１つの画素領域ＡＧを示している。ここで、液晶表示パネル２０は、Ｒ、Ｇ、Ｂの３色を用いて構成されるカラー表示用の液晶表示パネルであると共に、スイッチング素子としてＴＦＴ素子を用いたアクティブマトリクス駆動方式の液晶表示パネルである。
【００２４】
まず、素子基板９１の平面構成について説明する。素子基板９１は、基板１ａの内面上に、主として、複数のソース線３２、複数のゲート線３３、複数のＴＦＴ素子３７、複数の画素電極３４、ドライバＩＣ４０ａ、外部接続用配線３５及びＦＰＣ４１などが形成若しくは実装されてなる構造を有する。
【００２５】
図２に示すように、素子基板９１は、カラーフィルタ基板９２の一辺側から外側へ張り出してなる張り出し領域３１を有しており、その張り出し領域３１上には、ドライバＩＣ４０ａが実装されている。ドライバＩＣ４０ａの入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０ａの出力側の端子（図示略）に電気的に接続されている。
【００２６】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０ａの出力側の端子（図示略）に電気的に接続されている。各ソース線３２と各ゲート線３３の第２配線３３ｂの交差点に対応する位置にはＴＦＴ素子（Thin Film Transistor）３７が設けられており、各ＴＦＴ素子３７は各ソース線３２、各ゲート線３３及び各画素電極３４等に電気的に接続されている。各ＴＦＴ素子３７及び各画素電極３４は、各サブ画素領域ＳＧに対応する位置に設けられている。各画素電極３４は、例えばＩＴＯ（Indium-Tin Oxide）などの透明導電材料により形成されている。
【００２７】
液晶表示パネル２０では、１つの画素領域ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。
【００２８】
次に、カラーフィルタ基板９２の平面構成について説明する。カラーフィルタ基板９２は、図３に示すように、基板２ａの内面上に、遮光層（一般に「ブラックマトリクス」と呼ばれ、以下では、単に「ＢＭ」と略記する）、Ｒ、Ｇ、Ｂの３色の着色層６Ｒ、６Ｇ、６Ｂ、及び共通電極８などが形成されてなる構造を有する。ＢＭは、各サブ画素領域ＳＧを区画する位置に形成されている。共通電極８は、画素電極３４と同様にＩＴＯなどの透明導電材料からなり、カラーフィルタ基板９２の略一面に亘って形成されている。共通電極８は、シール材３ａの隅の領域Ｅ１において配線３６の一端側と電気的に接続されていると共に、当該配線３６の他端側は、ドライバＩＣ４０ａのＣＯＭに対応する出力端子と電気的に接続されている。
【００２９】
液晶表示パネル２０では、コネクタ４２と電気的に接続された外部の電子機器よりＦＰＣ４１を介して供給された信号及び電力等に基づき、ドライバＩＣ４０ａによって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０ａは、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びＴＦＴ素子３７を介して供給する。その結果、液晶層４ａの表示状態が、非表示状態または中間表示状態に切り替えられ、液晶層４ａの配向状態が制御されることとなる。
【００３０】
液晶表示パネル３０においても、液晶表示パネル２０と同様、コネクタ４２と電気的に接続された外部の電子機器よりＦＰＣ４１を介して供給された信号及び電力等に基づき、ドライバＩＣ４０ｂによって、液晶表示パネル３０のゲート線及びソース線が駆動されることで、液晶層４ｂの配向状態が制御されることとなる。
【００３１】
なお、液晶表示パネル２０、３０は、完全透過型の液晶表示パネルとして示しているが、液晶表示パネル２０、３０としては、これに限られず、半透過反射型の液晶表示パネルを用いてもよい。また、スイッチング素子としては、ＴＦＴ素子３７を用いるとしているが、これに限られず、ＴＦＤ素子（Thin Film Diode）を用いてもよい。
【００３２】
（フレームの構造）
次に、照明装置９を収納するためのフレームの構造について述べる。図４は、照明装置９をフレームに収納した場合における液晶表示装置１００の断面図であり、図５は、照明装置９をフレームに収納した場合における液晶表示装置１００の斜視図である。
【００３３】
図４に示すように、導光板１１と光源部１５より構成される照明装置９は、フレーム６１に収納される。フレーム６１は、樹脂で形成された樹脂フレーム６１ａと、当該樹脂フレーム６１ａの外枠として板金で形成された板金フレーム６１ｂより構成される。樹脂フレーム６１ａ及び板金フレーム６１ｂは夫々、液晶表示パネル３０に向けて光Ｌｂを出射するため、底面に開口６４を有している。また、液晶表示パネル２０は、２枚の偏光板ｐｏｌａによって挟まれ、液晶表示パネル３０は、２枚の偏光板ｐｏｌｂによって挟まれている。偏光板ｐｏｌｂは、開口６４の大きさと略同じ大きさであり、照明装置９側に配置される偏光板ｐｏｌｂは、開口６４に嵌め込まれている。
【００３４】
光源部１５は、ＦＰＣ５１と電気的に接続され、ＦＰＣ５１は、照明装置９を駆動するための、具体的には、光源部１５のＬＥＤ１６を駆動するためのＩＣチップ５２と電気的に接続されている。ＩＣチップ５２は、コネクタ４２を介して外部の電子機器からの信号や電力等の供給を受けるため、ＦＰＣ４１上に配置されている。
【００３５】
図４、図５に示すように、本実施形態に係る液晶表示装置１００では、ＩＣチップ５２は、ＦＰＣ４１のフレーム６１側に配置される。フレーム６１は、ＦＰＣ４１と対向する側面の下端部分を、断面が段差形状となるように切り欠いて形成した凹部６３を有する。ＦＰＣ４１の、フレーム６１と対向する側の面上に配置されたＩＣチップ５２は、上記フレーム６１の凹部６３内に収容されるよう配置される。
【００３６】
言い換えると、当該凹部６３は、図４、図５に示すように、ＦＰＣ４１のＩＣチップ５２が配置されてなる位置と対向する位置に段差状に形成されている。具体的には、樹脂フレーム６１ａには、ＦＰＣ４１のＩＣチップ５２が配置されてなる位置と対向する位置に段差状に凹部６３が形成されており、その外枠たる板金フレーム６１ｂには、板金を段差形状の凹部６３に沿って折り曲げて形成されている。これにより、ＩＣチップ５２は、ＦＰＣ４１とフレーム６１の間に配置されると共に、フレーム６１の凹部６３に収納されることとなる。なお、このとき、ＩＣチップ５２と板金フレーム６１ｂの間をショートしないよう電気的に遮蔽する必要があるため、ＩＣチップ５２又は板金フレーム６１ｂのどちらか一方の表面上に、図示しない絶縁シートが設けられる。
【００３７】
一般的な両面表示型の液晶表示装置では、このような凹部は設けられていない。そのため、一般的な両面表示型の液晶表示装置では、フレームとＦＰＣの間の隙間は、ＩＣチップを配置するには狭くなるので、当該ＩＣチップは、ＦＰＣの外側、即ち、ＦＰＣのフレーム側とは反対側の面に配置する必要があった。
【００３８】
本実施形態に係る液晶表示装置１００では、凹部６３を設けることにより、ＦＰＣ４１のフレーム側、即ち、ＦＰＣ４１とフレーム６１の間にＩＣチップ５２を配置することができるので、一般的な両面表示型の液晶表示装置と比較して、ＩＣチップ５２の大きさの分、小型化を図ることができる。
【００３９】
また、樹脂フレーム６１ａの凹部６３に沿って板金を折り曲げて板金フレーム６１ｂを形成することにより、板金フレーム６１ｂの外部からの応力に対する強度を上げることができる。これにより、外部から液晶表示装置全体に応力が加わることにより発生する液晶表示パネル２０、３０の基板の破損を防ぐことができる。
【００４０】
なお、図５では、凹部６３は、フレーム６１のＦＰＣ４１に対向する全面に形成されるとしているが、これに限られるものではなく、代わりに、フレーム６１のＦＰＣ４１のＩＣチップ５２に対向する部分のみに形成されるとしてもよいのは言うまでもない。
【００４１】
また、ＦＰＣ４１のフレーム６１側の凹部６３に対向する位置に配置される電子部品としては、上記の照明装置９を駆動するためのＩＣチップ５２に限られないのは言うまでもない。これに追加して、又は、代わりに、図５に示すように、他の電子部品５３、例えば、液晶表示パネル２０、３０の駆動を制御するＩＣチップや、抵抗、コンデンサ、ダイオードといった電子部品が、ＦＰＣ４１のフレーム６１側の凹部６３に対向する位置に配置されるとしてもよい。これによっても、電子部品５３は、ＦＰＣ４１とフレーム６１の間に配置されると共に、フレーム６１の凹部６３に収納されることとなり、本実施形態に係る液晶表示装置１００は、一般的な両面表示型の液晶表示装置と比較して小型化を図ることができる。
【００４２】
[変形例]
次に、本発明の変形例について述べる。上記の実施形態に係る液晶表示装置１００は、ＦＰＣ４１が、液晶表示パネル２０のドライバＩＣ４０ａと液晶表示パネル３０のドライバＩＣ４０ｂの両方に電気的に接続され、ＦＰＣ４１に設けられたコネクタ４２と外部の電子機器が電気的に接続される構成とされている。しかしながら、本発明を適用することが可能な液晶表示装置としては、このようなものに限られない。図６は、変形例に係る液晶表示装置１００ａの断面図を示す。以下、図６を参照しつつ、変形例に係る液晶表示装置１００ａについて述べる。
【００４３】
変形例に係る液晶表示装置１００ａでは、上記の実施形態に係る液晶表示装置１００と異なり、液晶表示パネル２０のゲート線及びソース線は、液晶パネル３０のドライバＩＣ４０ｃと電気的に接続され、ドライバＩＣ４０ｃは、ＦＰＣ４６を介して外部の電子機器より供給された信号及び電力等に基づき、液晶表示パネル２０、３０の両方の駆動を制御する。
【００４４】
従って、変形例に係る液晶表示装置１００ａでは、上記の実施形態に係る液晶表示装置１００と異なり、液晶表示パネル２０に入力端子４５ａが設けられ、液晶表示パネル３０に出力端子４５ｂが設けられており、ＦＰＣ４４は、一端が出力端子４５ｂと電気的に接続され、他端が入力端子４５ａと電気的に接続される。そして、ＦＰＣ４６は、一端が液晶表示パネル３０のドライバＩＣ４０ｃと電気的に接続され、他端が外部の電子機器と電気的に接続される。
【００４５】
変形例に係る液晶表示装置１００ａにおいても、図６に示すように、照明装置９を駆動するためのＩＣチップ５２は、ＦＰＣ４６のフレーム６１側の凹部６３に対向する位置に配置される。このようにすることで、変形例に係る液晶表示装置１００ａにおいても、一般的な両面表示型の液晶表示装置と比較して小型化を図ることができる。液晶表示パネル３０の基板１ｂの厚さが、ＩＣチップ５２の厚さと比較して薄い場合には、フレーム６１に凹部６３を設けない限り、ＦＰＣ４６とフレーム６１の間にＩＣチップ５２を配置することができないので、このような場合に、変形例に係る液晶表示装置１００ａは特に有効である。
【００４６】
なお、変形例に係る液晶表示装置１００ａにおいても、ＦＰＣ４６のフレーム６１側の凹部６３に対向する位置に配置される電子部品としては、上記の照明装置９を駆動するためのＩＣチップ５２に限られないのは言うまでもない。これに追加して、又は、代わりに、他の電子部品が、ＦＰＣ４６のフレーム６１側の凹部６３に対向する位置に配置されるとしてもよい。
【００４７】
[電子機器]
次に、図７及び図８を参照して、上記の液晶表示装置１００又は１００ａを備えた電子機器の実施形態について説明する。この実施形態の電子機器は、図７に示すように、液晶パネル２０を制御する制御手段１１００と、液晶パネル３０を制御する制御手段１３００とを有する。制御手段１１００及び１３００は、電子機器内に設置されたマイクロコンピュータ等で構成される中央制御部１０００によって制御される。
【００４８】
液晶パネル２０及び３０は、夫々のパネルにおけるデータ線やソース線、ＴＦＴ素子などのスイッチング素子より構成される駆動回路１１０Ｄ、１３０Ｄに接続され、これらの駆動回路１１０Ｄ、１３０Ｄが上記制御手段１１００、１３００に接続されている。制御手段１１００、１３００は、表示情報出力源１１１０、１３１０と、表示処理回路１１２０、１３２０と、電源回路１１３０、１３３０と、タイミングジェネレータ１１４０、１３４０とを有する。
【００４９】
表示情報出力源１１１０、１３１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４０、１３４０によって生成された各種のクロック信号に基づいて、所定フォーマットの画像信号等の形で表示情報を表示情報処理回路１１２０、１３２０に供給するように構成されている。
【００５０】
表示情報処理回路１１２０、１３２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路へ供給する。駆動回路１１０Ｄ、１３０Ｄは、走査線駆動回路、データ線駆動回路及び検査回路を含む。また、電源回路１１３０、１３３０は、上述の各構成要素にそれぞれ所定の電圧を供給する。
【００５１】
上記中央制御部１０００は、制御手段１１００、１３００の表示情報出力源１１１０、１３１０に適宜に点灯／消灯指令や表示情報の元データなどを送出し、これに対応する表示情報を表示情報出力源１１１０、１３１０に出力させ、制御手段１１００、１３００及び駆動回路１１０Ｄ、１３０Ｄを介して液晶パネル２０及び３０に適宜の表示画像を表示させる。また、中央制御部１０００は、上記光源部１５に対しても点灯や消灯などの制御を行うように構成されている。
【００５２】
次に、上述の各実施形態に係る液晶表示装置１００、１００ａを適用可能な電子機器の具体例について図８を参照して説明する。
【００５３】
図８は、本発明に係る電子機器の一実施形態である携帯電話機２０００を示す。この携帯電話機２０００は、各種操作ボタンが設けられマイクを内蔵した本体部２００１と、表示画面やアンテナを備えスピーカを内蔵した表示部２００２とを有し、本体部２００１と表示部２００２とが相互に折りたたみ自在に構成されている。図８（ａ）は、携帯電話機２０００を開いたときの図を示し、図８（ｂ）は、携帯電話機２０００を折りたたんだときの図を示す。表示部２００２内には上記の表示装置１００が内蔵され、その内面上にはメイン側の液晶表示パネル２０の表示画面１１０が視認可能に構成され、また、外面上にはサブ側の液晶表示パネル３０の表示画面１３０が視認可能に構成されている。
【図面の簡単な説明】
【００５４】
【図１】本実施形態に係る液晶表示装置の概略構成を示す側面図である。
【図２】液晶表示パネルの概略構成を示す平面図である。
【図３】液晶表示パネルの断面図である。
【図４】本実施形態に係る液晶表示装置の断面図である。
【図５】本実施形態に係る液晶表示装置の斜視図である。
【図６】変形例に係る液晶表示装置の断面図である。
【図７】本実施形態の液晶表示装置を適用した電子機器の回路構成を示す図である。
【図８】本実施形態の液晶表示装置を適用した電子機器の例を示す図である。
【符号の説明】
【００５５】
９  照明装置、  １１  導光板、  １５  光源部、  １６  ＬＥＤ、  ６１  フレーム、  ４１  ＦＰＣ、  ５２  ＩＣチップ、  ２０、３０  液晶表示パネル、  １００  液晶表示装置
【図１】
2007298924.tif 000003
【図２】
2007298924.tif 000004
【図３】
2007298924.tif 000005
【図４】
2007298924.tif 000006
【図５】
2007298924.tif 000007
【図６】
2007298924.tif 000008
【図７】
2007298924.tif 000009
【図８】
2007298924.tif 000010